(57)【要約】
2007509777.tif 000021【選択図】  図２
2007509777.tif 000002
【特許請求の範囲】
【請求項１】
2007509777.tif 000018
【請求項２】
疎水性間隔要素は凝縮領域（７）内の水蒸気を凝縮するように配置されることを特徴とする請求項１に記載の呼吸可能な下部シート（１）。
【請求項３】
疎水性間隔要素は多数の疎水性粒子（１２）を含むことを特徴とする請求項２に記載の呼吸可能な下部シート（１）。
【請求項４】
疎水性間隔要素は三次元疎水性間隔層（２０）を含むことを特徴とする請求項２又は３に記載の呼吸可能な下部シート（１）。
【請求項５】
第一層（２）は第一層（２）の隆起部分（２３）が第二層（３）と接触するように隆起部分（２３）及びそれらの間のくぼみ（２４）を有する三次元形態を有し、第一層（２）の隆起部分（２３）は疎水性間隔要素の機能を有するように配置され、凝縮領域（７）は第一及び第二層（２，３）のくぼみ（２４）間の空間に作られることを特徴とする請求項１〜３のいずれかに記載の呼吸可能な下部シート（１）。
【請求項６】
第二層（３）は第一及び第二層（２，３）の隆起部分（２３，２５）が複数の点で接触するように隆起部分（２５）及びそれらの間のくぼみ（２６）を有する三次元形態を有し、第一及び第二層（２，３）の隆起部分（２３，２５）は疎水性間隔要素の機能を有するように配置され、凝縮領域（７）は第一及び第二層（２，３）のくぼみ（２４，２６）間の空間に作られることを特徴とする請求項５に記載の呼吸可能な下部シート（１）。
【請求項７】
2007509777.tif 000019
【請求項８】
2007509777.tif 000020
【請求項９】
凝縮領域（７）は第一層（２）と第二層（３）の間の開放容積であり、第一層（２）と第二層（３）の間の最小距離は０．１ｍｍであることを特徴とする請求項１〜８のいずれかに記載の呼吸可能な下部シート（１）。
【請求項１０】
下部シート（１）の特徴は下部シート（１）の外側（６，１１）が被覆されずかつ約２０℃の室温にさらされる環境において有効であることを特徴とする請求項１〜９のいずれかに記載の呼吸可能な下部シート（１）。
【発明の詳細な説明】
【技術分野】
【０００１】
本発明は吸収物品のための呼吸可能な下部シートに関する。下部シートは水蒸気透過性第一層及び水蒸気透過性第二層を含む。吸収物品は第一層に隣接して吸収体を含み、吸収体が使用時に使用者の方に面しかつ下部シートの外側が使用時に使用者から離れて面するように使用者の使用のために適応されている。下部シートは吸収体から下部シートの外側への方向、即ちＺ方向に水蒸気透過性である。
【背景技術】
【０００２】
おむつ、衛生ナプキンなどの吸収物品は体液排泄時に物品を使用する人から体液を収集するために使用される。吸収物品は物品の外側、即ち使用時に使用者から離れて面する物品の側上に液体不透過性下部シート、及び液体不透過性下部シートと使用者の身体の間に置かれた吸収体を備えている。吸収体は身体排泄物を吸収するために配置され、液体不透過性下部シートは吸収体に吸収された液体が物品の外側に漏出することを妨げることを意図される。
【０００３】
また、吸収物品のためのいわゆる呼吸可能な下部シート、即ち水蒸気を下部シートを介して吸収物品内から吸収物品の外側へ（即ち、Ｚ方向へ）輸送することができる水蒸気透過性下部シートを使用することが知られている。呼吸可能な下部シートは物品内の水蒸気の量を減少することを意図される。なぜならばかかる水蒸気は使用者の皮膚に隣接して極めて湿った微小気候を生じうるからである。かかる湿った微小気候は使用者の皮膚に炎症を生じうる。
【０００４】
呼吸可能な下部シートの一つの問題は物品の外側上、即ち下部シートの外側上の凝縮された水蒸気の形成である。凝縮された水は使用者に対して湿潤した不快感を与える。さらに、凝縮された水は使用者の衣服に移行されることができ、それは使用者の衣服上で見ることができる不快な湿潤点に発展しうる。
【０００５】
多数の解決策が背景技術、例えば下部シートの外側上の吸収体の使用に存在し、そこでは吸収体は凝縮された水蒸気を吸収することを意図される。かかる解決策の問題は下部シート及び吸収体が厚くなり、使用者にとって不快なことである。別の問題は吸収体が高圧時に、例えば使用者が座った時に液体を保持できないことであり、それは使用者の衣服上に目立つ湿潤点が現われるような吸収体からの液体の放出を生じうる。
【０００６】
ＵＳ  ５８１４０３５は二つの呼吸可能な層を含む呼吸可能な下部シート配置を示す。その配置は下部シートの外側上の凝縮の形成を最小にすることを意図される。二つの層間の領域において水蒸気を吸収することによって下部シートを通過する湿った空気を乾燥するために適応された乾燥剤粒子が層間に位置される。ＵＳ  ５８１４０３５によれば、好適な乾燥剤粒子は塩化カルシウム、超吸収材、シリカゲルなどから作られる。
【０００７】
ＵＳ  ５８１４０３５による配置の一つの欠点は乾燥剤粒子が水蒸気を吸収し、それによって下部シート配置が重量及び厚さを増加することである。例えば、吸収された水蒸気は超吸収材を膨潤させて厚くし、それは可撓性の少ない下部シートを与え、それは吸収物品を使用者にとって快適性に劣るものにする。さらに、乾燥剤材料は最大の吸収能力を有する。最大限界に達するとき、乾燥剤粒子はもはや水蒸気を吸収できず、それは下部シートの外側への水蒸気移動の増加に導き、結果として下部シートの外側上の凝縮された水の形成を伴う。
【０００８】
従って、使用時に下部シートの外側上の凝縮された水の形成がない又は最小の吸収物品のために適応された呼吸可能な下部シートに対する必要性がなお存在する。
【発明の開示】
【０００９】
本発明の目的は上述の問題を改善し、吸収物品の使用時に下部シートの外側上に凝縮された水の形成が全くないか又は最小であるような改良された水取り扱い能力を有するおむつ、失禁物品などの吸収物品のための下部シートを提供することである。
【００１０】
本発明は水蒸気透過性第一層及び水蒸気透過性第二層を含む呼吸可能な下部シートであって、下部シートは第一層に隣接して吸収体を含む吸収物品のためのものである。吸収物品は吸収体が使用時に使用者の方に面しかつ下部シートの外側が使用者から離れて面するように使用者の使用のために適応されている。下部シートは吸収体から下部シートの外側への方向、即ちＺ方向に水蒸気透過性である。第一及び第二層はともに液体不透過性である。
【００１１】
2007509777.tif 000003
【００１２】
本発明の利点は吸収物品の使用時に下部シートの外側上の凝縮の形成が全くないか又は最小になることである。これは吸収物品の湿潤した外側のために不快感を全く感じない使用者のために有利である。
【００１３】
2007509777.tif 000004
【００１４】
2007509777.tif 000005
【００１５】
流速は、外側の空気が約９０％の相対湿度及び約２３℃の温度を有するときに与えられる。使用される試験方法はＬｙｓｓｙ装置を使用するＡＳＴＭ−３９８である。
【００１６】
本発明の一実施態様では、下部シートは凝縮領域内に水蒸気を凝縮するように配置された、凝縮領域に置かれた疎水性間隔要素を含む。
【００１７】
一実施態様では、間隔要素は多数の疎水性粒子から作られる。
【００１８】
別の実施態様では、間隔要素は隆起部分及びくぼみを含む三次元疎水性間隔層から作られる。間隔層の一つの側上の隆起部分は第一層と接触し、間隔層の他の側上の隆起部分は第二層と接触する。くぼみは第一層と第二層の間の空間を形成する。空間は凝縮領域を構成する。
【００１９】
さらなる実施態様では、第一層及び／又は第二層は第一及び第二層の隆起部分が複数の点で接触するように隆起部分及びそれらの間のくぼみを有する三次元形態を有し、凝縮領域は第一及び第二層のくぼみ間の空間に作られる。隆起部分は凝縮領域を支持するための疎水性間隔要素を形成してもよい。
【００２０】
凝縮領域は第一層と第二層の間の開放容積であり、第一層と第二層の間の最小距離は０．１ｍｍである。凝縮領域は上述の実施態様のいずれかの単独又は組み合わせによって作られてもよい。
【００２１】
下部シートの上述の特徴は、下部シートの外側が被覆されずかつ約２０℃の室温にさらされる環境において有効である。室温はおむつの外側上の環境における一般的な温度に関する。異なる室温状態時には異なる質量流速が許容されうる。
【００２２】
第一層は疎水性材料、例えば微孔質のポリオレフィンベースのフィルム、ポリエチレン、ポリプロピレン、又はポリオレフィン不織布、又は疎水性ティッシュ、又は多数の開口を有するプラスチックフィルムから作られてもよい。第一層はラテックス被覆を有する上述の材料のいずれかから作られてもよい。
【００２３】
第二層は第一層と同じ材料から作られてもよいが、第二層は第一層と異なる組成を有してもよい。
【００２４】
第一及び第二層は水不透過性でありかつ水蒸気透過性である。従って、層の各々は液体の水が阻止されると同時に水蒸気の上述の流速を可能にする多数の開口／孔を有する。例えば、第一層における開口は水蒸気の異なる流速を可能とするために第二層における開口より大きいことが好ましい。
【００２５】
図面の簡単な記述
本発明は多数の図面と関連して以下により詳細に述べられるだろう。
図１は吸収物品の透視図を概略的に示す。
図２は本発明の第一実施態様による図１の横断面Ａ−Ａでとった横断面図を概略的に示す。
図３は本発明の第二実施態様による図１の横断面Ａ−Ａでとった横断面図を概略的に示す。
図４は本発明の第三実施態様による図１の横断面Ａ−Ａでとった横断面図を概略的に示す。
図５は本発明の第四実施態様による図１の横断面Ａ−Ａでとった横断面図を概略的に示す。
図６は本発明の第五実施態様による図１の横断面Ａ−Ａでとった横断面図を概略的に示す。
【発明を実施するための最良の形態】
【００２６】
図１は上部シート１３、呼吸可能な下部シート１及びそれらの間の吸収体５を含む吸収物品４の透視図を概略的に示す。吸収物品４は二つの短い側１４の間の縦方向に及び二つの長い側１５の間の横方向に延びる。吸収物品は縦方向において二つの端区域１７とそれらの間に延びる中央区域１８に分割される。吸収物品４は、横方向に延びかつ短い側１４の一方に近い位置で、即ち端区域１７の一つで長い側１６に取り付けられた二つのフラップ１６を含む。物品使用時には、吸収物品４は、中央区域１８が性器領域に対して置かれ、物品の端区域１７の一方が下腹部上に置かれ、物品の他の端区域１７が使用者の下背部上に置かれるように使用者の性器領域のまわりで折り曲げられることを意図される。フラップ１６は使用者の腰上で折り曲げられ、次いで固定手段１９によってフラップ１６が固定される端区域１７とは反対の端区域１７に固定され、それによって吸収物品４の側部分を形成することを意図される。
【００２７】
図２は本発明の第一実施態様の図１の横断面Ａ−Ａにおける横断面図を概略的に示す。下部シート１は水蒸気透過性であるが、液体の水に対して不透過性である。吸収物品４は使用時に上部シート１３が使用者の方に位置されかつ下部シート４の外側６が使用者から離れて面するように配置される。下部シート１は使用者から下部シート１の外側６の方向でＺ方向に、即ち上部シート１３から下部シート１への方向に水蒸気透過性である。Ｚ方向は図２において流れ方向を指す矢印として示され、アンダーラインされた文字Ｚでマークされている。
【００２８】
2007509777.tif 000006
【００２９】
凝縮領域７は水蒸気を吸収することではなく、予め決められた時間、過剰量の水蒸気を蓄積及び貯蔵することを意図される。
【００３０】
2007509777.tif 000007
【００３１】
本発明の理解を容易にするために実施例が以下に与えられるだろう：
下部シート１の外側６が被覆されない約２０℃の温度の通常の屋内環境において、下部シート１の外側６は周囲空気と本質的に同じ温度、即ち室温を有する。さらに、下部シート１の外側６に近い気候は例えば湿分含有量などに関して室内と本質的に同じである。
【００３２】
2007509777.tif 000008
【００３３】
第一層２は吸収体の方の内側表面８と凝縮領域７に壁を形成する外側９を有する。第一層２の外側９は凝縮領域７及び第二層３を介して吸収物品の外側に熱を伝達する。従って、温度は第一層２の外側９の近くで低下する。他方、第一層２の内側表面８上では吸収体５中の状態が優勢である。従って、第一層２の外側９上の温度は第一層２の内側表面８より低い温度を有する。
【００３４】
何らかの排泄が起こる前に、凝縮領域７において優勢である状態は吸収物品の外側６上と、即ち上の実施例による室内（即ち、２０℃）と多かれ少なかれ同じである。
【００３５】
２０℃で湿分含有量は０＜φ＜１（φは相対湿度（即ち、所定温度での蒸気の分圧Ｐ１と所定温度での飽和蒸気の分圧Ｐｓの間の比）である）として変化しうる。φが１に等しいとき空気は水蒸気で飽和される。同じことがより高い（又はより低い）温度、例えば３７℃の空気に当てはまるが、より高い温度での飽和された空気は多量の水蒸気を保持する。
【００３６】
暖かい空気は冷たい空気より多い水蒸気、即ち高い分圧の水蒸気を含有できることが知られている。暖かい飽和された空気がより低い温度に冷却されるとき、より冷たい空気は元の量の一部の蒸気を保持できるにすぎない。過剰な量の蒸気は凝縮され、従って液体の水として現われるだろう。
【００３７】
従来技術ではそれは上述のように吸収物品の外側と内側の間の温度差によって吸収物品の外側上の凝縮された空気での良く知られた問題である。
【００３８】
2007509777.tif 000009
【００３９】
さらに、第二層３は凝縮領域７に第二壁を形成する内側表面１０及びこの実施態様では下部シート１の外側６である外側１１を有する。凝縮領域７は第一層２の外側９と第二層３の内側表面１０の間の空間である。二つの層２，３の間の空間は０．１ｍｍの最小距離を有する。最小距離は例えば疎水性粒子、又は疎水性ネット構造、又は疎水性材料のストリップ、又は三次元疎水性ネット構造の形の多数の間隔要素によって維持されうる。さらに、第一層２及び／又は第二層３は二つの層２，３のある部分が互いに関連して間隔要素を形成し、二つの層２，３のある部分が互いに分離されて層２，３の間に凝縮領域７を形成する空間が作られるように型押しされるか又は三次元形態で形成されうる。好適な間隔要素の様々な実施態様は図３〜６と関連して以下にさらに説明されるだろう。
【００４０】
凝縮領域７を形成する空間は図２に示されるように第一及び第二層２，３の全表面上に延びてもよく、又は第一及び第二層２，３の範囲にわたって分離された多数の空間の形態であってよい。
【００４１】
いかなる尿排泄前でも、凝縮領域７は本質的に外側空気と同じ仕様を有する空気で満たされる。排泄後、凝縮領域７は第一層２を介して徐々に吸収体５からの水蒸気で満たされる。凝縮領域に入るとき、水蒸気は部分的に凝縮される。水蒸気が凝縮領域７に入ると同時に、温度は凝縮領域７において幾分増加する。前述したように、より高い温度の空気は冷却された空気より多くの水蒸気を保持しうる。第二層３は極めて薄く、熱を十分に伝達し、従って第二層３の内側表面１０は第二層３の内側表面１０が室温とほぼ同じ温度を有するように外部温度によって冷却される。従って、第二層３の内側表面１０は凝縮領域７の空気に等しいか又はそれより低い温度を有する。従って、凝縮領域７における温度は上記に従って上昇するが、第二層３の内側表面１０上の温度Ｔｉｓは凝縮領域７における空気温度Ｔｃｓに等しいか（最初）、又はそれより低い（排泄後）。結果として、凝縮領域７における水蒸気は第一層２の外側９上だけでなく、第二層３の内側表面１０上にも同様に凝縮するだろう。
【００４２】
上記の結果として、凝縮領域７は排泄直後に凝縮された水を蓄積し始めるだろう。しかしながら、凝縮領域７において凝縮された水を貯蔵することは望ましくない。本発明によれば、凝縮領域７は凝縮された水を吸収物品４の外側へのさらなる移動前に緩衝するにすぎない。それゆえ、凝縮領域７は水を吸収及び貯蔵するための手段を含まない。
【００４３】
2007509777.tif 000010
【００４４】
2007509777.tif 000011
【００４５】
吸収物品の外側で、即ち下部シート１の外側６上で（即ち第二層３の外側１１上で）、空気は使用者が居る場所に依存して異なる特性を有してもよい。使用者は屋外、又は屋内、又はφが０〜１の範囲のどこかである熱い環境、又はφが０〜１の範囲のどこかである冷たい環境にいてもよい。上述の可能な全ての環境条件に照らして本発明の例を導くことは不可能であるだろう。しかしながら、吸収物品（吸収体５）の内側から吸収物品４の外側６への水蒸気の移動のための駆動力は上述の第一及び第二層２，３の異なる側間の熱勾配及び／又は水蒸気勾配（即ち、水蒸気の分圧の差）の形である。
【００４６】
本発明は、温度が２０℃でありかつφが０〜１の範囲のどこかである通常の屋内状態に照らして記載されるが、当業者は特定の場所で優勢な状態に従って呼吸可能な下部シート１を適応してもよい。
【００４７】
2007509777.tif 000012
【００４８】
2007509777.tif 000013
【００４９】
上述の実施例はほとんど起こることがない二つの極端な状況である。なぜならば呼吸可能な下部シートの製造者は吸収物品の使用のための通常の環境を考察しているからである。かかる通常の環境は約１８℃〜２２℃の温度でかつφが約０．３〜０．６に等しい屋内状態であるように選択されてもよい。
【００５０】
2007509777.tif 000014
【００５１】
本発明の一つの重要な特徴は下部シート１が外側の空気中の蒸気の分圧及び温度に関して外側の空気の所定の状態で下部シート１の外側６上にいかなる凝縮も形成させずに呼吸可能であることである。さらに、下部シート１は凝縮領域７内でいかなる凝縮された水も保持することを意図されないが、凝縮領域７内の凝縮された水は時間とともに再び蒸発し、次に下部シート１の外側６に移動されるだろう。凝縮領域７内の凝縮された水の蒸発は凝縮領域７への水蒸気の移動並びに凝縮領域７から第二層３の外側１１への水蒸気の移動に依存して、排泄後のある時間後に現われるだろう。凝縮領域７中の空気は常に飽和される方に向かう（これは文献で知られている）。なぜならば凝縮領域７内の凝縮された水は吸収物品の内側から（即ち、吸収体５から）の移動が遅くなるか又は止まるとき及び凝縮領域７から下部シート１の外側６への移動が水蒸気の分圧の差及び／又は温度差によって続くときに蒸発するからである。
【００５２】
2007509777.tif 000015
【００５３】
上記においてｔは異なる量の水蒸気が凝縮及び蓄積される一連の時間における一つの時間としてみなされてもよいが、実際にはプロセスは連続的なプロセスとみなされるべきである。
【００５４】
2007509777.tif 000016
【００５５】
2007509777.tif 000017
【００５６】
吸収物品内の状態は、排泄に近い時間の間は雰囲気圧で３７℃を有しかつ水蒸気で飽和された空気に近似したものであることができ、その後温度は徐々に低下する。水蒸気含有量又は分圧を見出すためにはモリエ線図を使用することができる。モリエ線図は露点、即ち所定の温度でφが１に等しいときに起こる、水蒸気が様々な温度で凝縮する状態を見出すために使用されてもよい。
【００５７】
図３は本発明の第二実施態様による図１の横断面Ａ−Ａの横断面図を概略的に示す。凝縮領域は凝縮のためにアクセス可能な表面の全体量を増大するための疎水性粒子１２を含む。疎水性粒子１２はいかなる水蒸気又は凝縮された水も吸収せず、凝縮手段として作用するにすぎない。粒子１２はまた、第一層２と第二層３の間の間隔要素として作用する。疎水性粒子１２は、疎水性である、即ち水蒸気又は水を吸収しないいかなる公知の材料から作られてもよい。例えば、ポリプロピレン、ポリエチレン、ポリ乳酸ポリマーの如き疎水性ポリマー、ナイロン、疎水性繊維、疎水性フォーム、又は疎水性非溶解性不活性構造体である。
【００５８】
図４は本発明の第三実施態様による図１の横断面Ａ−Ａの横断面図を概略的に示す。凝縮領域は凝縮のためにアクセス可能な表面の全体量を増大するための三次元疎水性間隔層２０を含む。疎水性間隔層２０はいかなる水蒸気又は凝縮された水も吸収せず、凝縮手段として作用するにすぎない。間隔層２０はまた、第一層２と第二層３の間の疎水性間隔要素として作用する。三次元疎水性間隔層２０は三次元ネットの形であることが好ましい。三次元間隔層２０は水透過性である。三次元間隔層は間隔層２０の第一側上に隆起部分２１ａ及びくぼみ２２ａ、及び間隔層２０の第二側上に対応するくぼみ２２ｂ及び隆起部分２１ｂを有する形状的な特徴を持つ。間隔層２０の第一側上の隆起部分２１ａは第一層２と接触しており、間隔層２０の第二側上の隆起部分２１ｂは第二層と接触している。隆起部分はくぼみ２２ａ，２２ｂと層２，３の間の空間が凝縮領域７を作るように第一層２と第二層３の間の間隔を作る。間隔層２０はいかなる公知の製造方法、例えば型押によっても製造されることができる。間隔層２０は、疎水性であり、即ち水蒸気又は水を吸収せず、しかも水蒸気及び水の間隔層２０を通る移動を可能にする構造を有する、いかなる公知の材料からも作られることができる。例えば、ポリプロピレン、ポリエチレン、ポリ乳酸ポリマーの如き疎水性ポリマー、ナイロン、疎水性繊維、疎水性フォーム又は疎水性中実不活性構造である。
【００５９】
図５は本発明の第四実施態様による図１の横断面Ａ−Ａの横断面図を概略的に示す。第一層２は輪郭形成され、隆起部分２３及びくぼみ２４を有する三次元形態を持つ。第一層２は隆起部分２３の各々の頂点で第二層３と接触する。隆起部分２３は第二層３とくぼみ２４の間の空間が凝縮領域７を形成するように疎水性間隔要素の機能を持つ。図５はまた、吸収体５が第一層２の輪郭に従うことを示す。従って、吸収体５は第一層２の吸収体に面する側上の全てのくぼみを満たす。それらのくぼみは第一層２の第二層３に面する側上の隆起部分２３の結果である。
【００６０】
図６は本発明の第五実施態様による図１の横断面Ａ−Ａの横断面図を概略的に示す。第一層２及び第二層３は第一及び第二層２，３が複数の点で接触するように輪郭形成され、そこでは凝縮領域７は第一及び第二層２，３の輪郭形成された部分間の空間において作られる。図６では第一層２は図５と同じ形状的特徴、即ち隆起部分２３及びくぼみ２４を持つ。第二層３は第一層２と対応する形状的特徴、即ち隆起部分２５及びくぼみ２６を持つ。第一層２の隆起部分２３は第二層３の隆起部分２５と接触する。第一及び第二層２，３の隆起部分２３，２５は第一層２のくぼみ２４と第二層３のくぼみ２６の間の空間が凝縮領域７を形成するように疎水性間隔要素の機能を持つ。
【００６１】
本発明は上記実施態様に限定されず、特許請求の範囲内で変更可能である。例えば、間隔要素は図３〜６に示された実施態様のいかなる組み合わせによって形成されてもよく、例えば図５による型押された第一層２及び図３による疎水性粒子１２はくぼみ２５と第二層３の間の空間に置かれてもよい。
【図面の簡単な説明】
【００６２】
【図１】吸収物品の透視図を概略的に示す。
【図２】本発明の第一実施態様による図１の横断面Ａ−Ａでとった横断面図を概略的に示す。
【図３】本発明の第二実施態様による図１の横断面Ａ−Ａでとった横断面図を概略的に示す。
【図４】本発明の第三実施態様による図１の横断面Ａ−Ａでとった横断面図を概略的に示す。
【図５】本発明の第四実施態様による図１の横断面Ａ−Ａでとった横断面図を概略的に示す。
【図６】本発明の第五実施態様による図１の横断面Ａ−Ａでとった横断面図を概略的に示す。
【図１】
2007509777.tif 000022
【図２】
2007509777.tif 000023
【図３】
2007509777.tif 000024
【図４】
2007509777.tif 000025
【図５】
2007509777.tif 000026
【図６】
2007509777.tif 000027
【国際調査報告】
2007509777.tif 000028
2007509777.tif 000029
2007509777.tif 000030